【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
物体側から像側へ順に、負の屈折力の第１レンズ群、正の屈折力の第２レンズ群、正の屈折力の第３レンズ群、負の屈折力の第４レンズ群、正の屈折力の第５レンズ群より構成され、ズーミングに際して隣り合うレンズ群の間隔が変化するズームレンズにおいて、前記第２レンズ群の最も像側のレンズ面から前記第４レンズ群の最も物体側のレンズ面の間に開口絞りを有し、前記第１レンズ群は、物体側から像側へ順に、１つ又は２つの負レンズ、１つの正レンズで構成され、前記第２レンズ群は、無限遠物体から近距離物体へのフォーカシングに際して像側に移動する１つのレンズ成分よりなり、広角端において無限遠物体に合焦しているときの前記第２レンズ群と前記第３レンズ群の間隔をＤ２３ｗ、広角端において無限遠物体に合焦しているときの前記第２レンズ群と前記第３レンズ群の合成焦点距離をｆ２３ｗ、広角端において無限遠物体に合焦しているときの前記第４レンズ群と前記第５レンズ群の合成焦点距離をｆ４Ｒｗ、前記第２レンズ群のレンズ群厚をＤ２とするとき、
−０．６０＜ｆ２３ｗ／ｆ４Ｒｗ＜−０．０１
０．１＜Ｄ２／Ｄ２３ｗ＜１．０
なる条件式を満足することを特徴とするズームレンズ。
【請求項２】
広角端において無限遠物体に合焦しているときの全系の焦点距離をｆｗ、前記第１レンズ群の焦点距離をｆ１とするとき、
０．９＜｜ｆ１｜／ｆｗ＜１．７
なる条件式を満足することを特徴とする請求項１に記載のズームレンズ。
【請求項３】
広角端において無限遠物体に合焦しているときの全系の焦点距離をｆｗとするとき、
０．９＜ｆ２３ｗ／ｆｗ＜１．５
なる条件式を満足することを特徴とする請求項１又は２に記載のズームレンズ。
【請求項４】
広角端において無限遠物体に合焦しているときの全系の焦点距離をｆｗ、前記第４レンズ群の焦点距離をｆ４とするとき、
１．４＜｜ｆ４｜／ｆｗ＜３．５
なる条件式を満足することを特徴とする請求項１乃至３のいずれか１項に記載のズームレンズ。
【請求項５】
広角端において無限遠物体に合焦しているときの全系の焦点距離をｆｗ、前記第５レンズ群の焦点距離をｆ５とするとき、
２．５＜ｆ５／ｆｗ＜７．０
なる条件式を満足することを特徴とする請求項１乃至４のいずれか１項に記載のズームレンズ。
【請求項６】
望遠端において無限遠物体に合焦しているときの前記第２レンズ群の横倍率をβ２ｔ、望遠端において無限遠物体に合焦しているときの前記第３レンズ群と前記第４レンズ群と前記第５レンズ群からなる光学系の横倍率をβＲｔとするとき、
−６．５＜（１−β２ｔ2）＊βＲｔ2＜−３．０
なる条件式を満足することを特徴とする請求項１乃至５のいずれか１項に記載のズームレンズ。
【請求項７】
前記第２レンズ群の焦点距離をｆ２とするとき、
１．４＜ｆ２／ｆ２３ｗ＜３．２
なる条件式を満足することを特徴とする請求項１乃至６のいずれか１項に記載のズームレンズ。
【請求項８】
前記第４レンズ群は、１つのレンズ成分より構成されることを特徴とする請求項１乃至７のいずれか１項に記載のズームレンズ。
【請求項９】
前記第４レンズ群を光軸に対して垂直方向の成分を有する方向に移動させて結像位置を光軸に対し垂直方向に移動することを特徴とする請求項１乃至８のいずれか１項に記載のズームレンズ。
【請求項１０】
広角端において無限遠物体に合焦しているときの前記第４レンズ群の横倍率をβ４ｗ、広角端において無限遠物体に合焦しているときの前記第４レンズ群と前記第５レンズ群からなる光学系の横倍率をβＲｗとするとき、
−２．０＜（１−β４ｗ）＊βＲｗ＜−０．４
なる条件式を満足することを特徴とする請求項１乃至９のいずれか１項に記載のズームレンズ。
【請求項１１】
ズーミングに際して、前記第３レンズ群と前記第５レンズ群は同一の軌跡で移動することを特徴とする請求項１乃至１０のいずれか１項に記載のズームレンズ。
【請求項１２】
請求項１乃至１１のいずれか１項のズームレンズと、該ズームレンズによって形成される像を受光する光電変換素子を有していることを特徴とする撮像装置。
【手続補正２】
【補正対象書類名】明細書
【補正対象項目名】００１６
【補正方法】変更
【補正の内容】
【００１６】
本発明のズームレンズは、物体側から像側へ順に、負の屈折力の第１レンズ群、正の屈折力の第２レンズ群、正の屈折力の第３レンズ群、負の屈折力の第４レンズ群、正の屈折力の第５レンズ群より構成され、ズーミングに際して隣り合うレンズ群の間隔が変化するズームレンズにおいて、前記第２レンズ群の最も像側のレンズ面から前記第４レンズ群の最も物体側のレンズ面の間に開口絞りを有し、前記第１レンズ群は、物体側から像側へ順に、１つ又は２つの負レンズ、１つの正レンズで構成され、前記第２レンズ群は、無限遠物体から近距離物体へのフォーカシングに際して像側に移動する１つのレンズ成分よりなり、広角端において無限遠物体に合焦しているときの前記第２レンズ群と前記第３レンズ群の間隔をＤ２３ｗ、広角端において無限遠物体に合焦しているときの前記第２レンズ群と前記第３レンズ群の合成焦点距離をｆ２３ｗ、広角端において無限遠物体に合焦しているときの前記第４レンズ群と前記第５レンズ群の合成焦点距離をｆ４Ｒｗ、前記第２レンズ群のレンズ群厚をＤ２とするとき、
−０．６０＜ｆ２３ｗ／ｆ４Ｒｗ＜−０．０１
０．１＜Ｄ２／Ｄ２３ｗ＜１．０
なる条件式を満足することを特徴としている。
【手続補正３】
【補正対象書類名】明細書
【補正対象項目名】００１９
【補正方法】変更
【補正の内容】
【００１９】
以下に、本発明の好ましい実施の形態を、添付の図面に基づいて詳細に説明する。本発明のズームレンズは、物体側から像側へ順に、負の屈折力の第１レンズ群、正の屈折力の第２レンズ群、正の屈折力の第３レンズ群、負の屈折力の第４レンズ群、正の屈折力の第５レンズ群より構成される。第２レンズ群の最も像側のレンズ面から第４レンズ群の最も物体側のレンズ面の間に開口絞りを有する。ズーミングに際して、隣り合うレンズ群の間隔が変化する。
【手続補正４】
【補正対象書類名】明細書
【補正対象項目名】００２５
【補正方法】変更
【補正の内容】
【００２５】
各実施例はいずれも、物体側から像側へ順に、負の屈折力の第１レンズ群Ｌ１、正の屈折力の第２レンズ群Ｌ２、正の屈折力の第３レンズ群Ｌ３、負の屈折力の第４レンズ群Ｌ４、正の屈折力の第５レンズ群Ｌ５より構成される。第２レンズ群Ｌ２の像側のレンズ面と第４レンズ群Ｌ４の物体側のレンズ面との間に開口絞りＳＳを有している。そしてズーミングに際し、隣り合うレンズ群の間隔が変化している。
【手続補正５】
【補正対象書類名】明細書
【補正対象項目名】００２８
【補正方法】変更
【補正の内容】
【００２８】
ここで各実施例において、広角端において無限遠物体に合焦しているときの第２レンズ群Ｌ２と第３レンズ群Ｌ３の間隔と合成焦点距離を各々Ｄ２３ｗ、ｆ２３ｗとする。広角端において無限遠物体に合焦しているときの第４レンズ群Ｌ４と第５レンズ群Ｌ５の合成焦点距離をｆ４Ｒｗとする。また、第２レンズ群Ｌ２のレンズ群厚をＤ２とする。このとき、次の条件式を満足している。
【手続補正６】
【補正対象書類名】明細書
【補正対象項目名】００３２
【補正方法】変更
【補正の内容】
【００３２】
条件式（１）は、広角端において無限遠物体に合焦しているときの第４レンズ群Ｌ４と第５レンズ群Ｌ５の合成焦点距離に対する第２レンズ群Ｌ２と第３レンズ群Ｌ３の合成焦点距離との比に関する。また、条件式（２）は、フォーカスレンズ群である正の屈折力の第２レンズ群Ｌ２のレンズ群厚と、広角端において無限遠物体に合焦時の第２レンズ群Ｌ２と第３レンズ群Ｌ３とのレンズ群間隔の比に関する。
【手続補正７】
【補正対象書類名】明細書
【補正対象項目名】００３３
【補正方法】変更
【補正の内容】
【００３３】
条件式（１）を満足する屈折力配置とすることで、広角端におけるレンズ全長を短縮し、条件式（２）を満足する構成とすることで、レンズ全系の大型化を抑制しつつ、第２レンズ群Ｌ２でのインナーフォーカスを実現している。条件式（１）の上限を超えると、第４レンズ群Ｌ４と第５レンズ群Ｌ５の合成レンズ群の負の屈折力が、第２レンズ群Ｌ２と第３レンズ群Ｌ３との合成レンズ群の正の屈折力に比して弱まりすぎてしまう。
【手続補正８】
【補正対象書類名】明細書
【補正対象項目名】００３４
【補正方法】変更
【補正の内容】
【００３４】
この場合、全系の焦点距離を一定とした場合、第２レンズ群Ｌ２と第３レンズ群Ｌ３の合成レンズ群と第４レンズ群Ｌ４と第５レンズ群Ｌ５の合成レンズ群の成す部分系のテレフォト具合が弱まりすぎる。この結果、バックフォーカスが長くなりすぎ、広角端におけるレンズ全長が大型化してしまう。
【手続補正９】
【補正対象書類名】明細書
【補正対象項目名】００３５
【補正方法】変更
【補正の内容】
【００３５】
一方、下限を超えると、第４レンズ群Ｌ４と第５レンズ群Ｌ５の合成レンズ群の負の屈折力が第２レンズ群Ｌ２と第３レンズ群Ｌ３の合成レンズ群の正の屈折力に比して強まり過ぎることとなる。この場合、全系の焦点距離を一定とした場合、第２レンズ群Ｌ２と第３レンズ群Ｌ３の合成レンズ群と、第４レンズ群Ｌ４と第５レンズ群Ｌ５の合成レンズ群の成す部分系のテレフォト具合が強まりすぎる。この結果、バックフォーカスが短くなりすぎる。
【手続補正１０】
【補正対象書類名】明細書
【補正対象項目名】００４２
【補正方法】変更
【補正の内容】
【００４２】
第１レンズ群Ｌ１の焦点距離をｆ１、第２レンズ群Ｌ２の焦点距離をｆ２、第４レンズ群Ｌ４の焦点距離をｆ４、第５レンズ群Ｌ５の焦点距離をｆ５、広角端における全系の焦点距離をｆｗとする。また、望遠端において、無限遠物体に合焦しているときの第２レンズ群Ｌ２の横倍率をβ２ｔ、第３レンズ群Ｌ３と第４レンズ群Ｌ４と第５レンズ群Ｌ５からなる光学系の横倍率をβＲｔとする。このとき以下の条件式のうち１以上を満足するのが良い。
【手続補正１１】
【補正対象書類名】明細書
【補正対象項目名】００４９
【補正方法】変更
【補正の内容】
【００４９】
条件式（７）は、望遠端において無限遠物体に合焦しているときの第２レンズ群Ｌ２の横倍率に対する第３レンズ群Ｌ３と第４レンズ群Ｌ４と第５レンズ群Ｌ５からなる光学系の横倍率を規定している。即ち、望遠端における第２レンズ群Ｌ２のフォーカス敏感度を規定している。条件式（７）の上限を超えると、第２レンズ群Ｌ２の望遠端におけるフォーカス敏感度が低くなりすぎ、フォーカシングによる移動量が増加し全系が大型化してしまう。
【手続補正１２】
【補正対象書類名】明細書
【補正対象項目名】００５４
【補正方法】変更
【補正の内容】
【００５４】
ここで、広角端において、無限遠物体に合焦しているときの第４レンズ群Ｌ４の横倍率をβ４ｗとする。広角端において、無限遠物体に合焦しているときの第４レンズ群Ｌ４と第５レンズ群Ｌ５からなる光学系の横倍率をβＲｗとするとき、以下の条件式を満足することが好ましい。